Podtech/llm-jp-corpus-v4-ja_patent huggingface dataset:
(57)【要約】【課題】本発明は、超伝導フライホイールを単なる電気貯蔵設備として使用するだけでなく地磁気を利用して発電を行う装置です。従来、超伝導フライホイールは昼夜間の電力使用量の差を平準化するための一つの方策として考えられていましたが夜間の電力を使用するとはいえフライホイールを回転させるために大きなエネルギーを必要としました。【手段】超伝導フライホイール（１）の外周部に更に小型の超伝導磁石（２）を設け、常に正確にＳ極Ｎ極が南北方向に反発し更に引付け合うように制御することにより小型の超伝導磁石（２）が南北方向に引き付けられ反発する力を、フライホイール（１）の回転力に変換するもので無尽蔵の地磁気を利用することにより、エネルギーの消費を抑えることができます。【選択図】図１
2007282464.tif 000002
【特許請求の範囲】
【請求項１】
小型の超伝導磁石（２）を外周部に設置した超伝導フライホイール（１）
【請求項２】
常に地磁気の力に反発するように正確にＳ極Ｎ極を制御された小型の超伝導磁石（２）
【請求項３】
二つの装置を組み合わせた電力貯蔵並びに発電装置。
【発明の詳細な説明】
【発明の詳細な説明】
【技術分野】
【０００１】  この発明は、超伝導フライホイールを単なる電気貯蔵設備として使用するだけでなく地磁気を利用して発電を行う装置である。
【背景技術】
【０００２】  従来、超伝導フライホイールは昼夜間の電力使用量の差を平準化するための一つの方策として考えられています。
【発明が解決しようとする課題】
【０００３】  夜間の電力を使用するとはいえフライホイールを回転させるために大きなエネルギーを必要としています。
【課題を解決する手段】
【０００４】  超伝導フライホイール（１）の外周部に更に小型の超伝導磁石（２）を設け、常に正確にＳ極Ｎ極が南北方向に反発し更に引付け合うように制御することにより小型の超伝導磁石（２）が南北方向に引き付けられ反発する力を、超伝導フライホイール（１）の回転力に変換するものである。
本発明は、超伝導フライホイール（１）をすべて低損失な超伝導軸受を使用する事により電気貯蔵設備としてだけでなく、地磁気を利用して発電を可能にする装置である。
【発明を実施するための最良の形態】
【０００５】以下、本発明の実施の形態を示す。
（イ）超伝導フライホイール（１）の外周部に、小型の超伝導磁石（２）を設置する。
（ロ）小型の超伝導磁石（２）は常に地磁気の力に反発するようにＳ極Ｎ極を正確に南北に対置ように制御する。
（ハ）超伝導フライホイール（１）に低損失な超伝導軸受を使用する事により地磁気の力をフライホイールの回転に変換し電力貯蔵並びに発電に利用する。
【産業上の利用可能性】無尽蔵の地磁気を利用することにより、エネルギーの消費を抑えることができる。
【図１】
2007282464.tif 000003
【図２】
2007282464.tif 000004
【手続補正書】
【提出日】平成18年11月14日(2006.11.14)
【手続補正１】
【補正対象書類名】明細書
【補正対象項目名】全文
【補正方法】変更
【補正の内容】
【発明の詳細な説明】
【技術分野】
【０００１】  この発明は、超伝導フライホイールを単なる電気貯蔵設備として使用するだけでなく地磁気を利用して発電を行う装置である。
【背景技術】
【０００２】  従来、超伝導フライホイールは昼夜間の電力使用量の差を平準化するための一つの方策として考えられています。
【発明が解決しようとする課題】
【０００３】  夜間の電力を使用するとはいえフライホイールを回転させるために大きなエネルギーを必要としています。
【課題を解決する手段】
【０００４】  超伝導フライホイール（１）の外周部に更に小型の超伝導磁石（２）を設け、常に正確にＳ極Ｎ極が南北方向に反発し更に引付け合うように制御することにより小型の超伝導磁石（２）が南北方向に引き付けられ反発する力を、超伝導フライホイール（１）の回転力に変換するものである。
本発明は、超伝導フライホイール（１）をすべて低損失な超伝導軸受を使用する事により電気貯蔵設備としてだけでなく、地磁気を利用して発電を可能にする装置である。
【発明を実施するための最良の形態】
【０００５】以下、本発明の実施の形態を示す。
（イ）超伝導フライホイール（１）の外周部に、小型の超伝導磁石（２）を設置する。
（ロ）小型の超伝導磁石（２）は常に地磁気の力に反発するようにＳ極Ｎ極を正確に南北に対置ように制御する。
（ハ）超伝導フライホイール（１）に低損失な超伝導軸受を使用する事により地磁気の力をフライホイールの回転に変換し電力貯蔵並びに発電に利用する。
【産業上の利用可能性】無尽蔵の地磁気を利用することにより、エネルギーの消費を抑えることができる。
【図面の簡単な説明】
【０００６】
【図１】上面図  本装置を真上から見た状態です。二本の矢印は回転方向を示しＳ，Ｎは小型の超伝導磁石（２）がそれぞれ正確に北、南の位置にあるときの極性を示します。
【図２】立体図  本装置を斜め上から見た状態です。中央部の円筒状の軸を中心に超伝導磁石（２）を配置した超伝導フライホイール（１）が回転します。
【符号の説明】
【０００７】（１）超伝導フライホイール
（２）超伝導磁石
Ｓ    超伝導磁石（２）が上面図の表示された位置にある時の極性を示します。
Ｎ    超伝導磁石（２）が上面図の表示された位置にある時の極性を示します。
【手続補正２】
【補正対象書類名】図面
【補正対象項目名】全図
【補正方法】変更
【補正の内容】
【図１】
2007282464.tif 000005
【図２】
2007282464.tif 000006
(57)【要約】【課題】糞を違和感無く、ワンタッチでポリ袋に取り込み、その後ポリ袋の開口部を密閉し、悪臭がない状態で持ち歩くことができ、しかも同一の袋で複数回糞を取ることが出来る経済的な犬の糞取り用品を提供する。【解決手段】ポリ袋（１）の開口部にリング（２）を装着し、リング（２）をかえして犬の糞を掴み、糞をそのままポリ袋（１）の中に取り込み、ポリ袋の開口部を粘着テープ（３）で密閉して持ち帰ることが出来る犬の糞取り用品。【選択図】図１
2007282614.tif 000002
【特許請求の範囲】
【請求項１】
ポリ袋にリングを装着し、ポリ袋の入口に粘着テープを貼り付け、リングをかえして犬の糞を掴み、糞をポリ袋の中に取り込み、粘着テープでポリ袋を密閉して、そのまま持ち帰ることが出来ることを特徴とする犬の糞取り用品。
【請求項２】
請求項１の粘着テープの代わりにジッパーを用いて、密閉することを特徴とする犬の糞取り用品。
【請求項３】
請求項１に消臭チップを付加し、ポリ袋内を消臭することを特徴とする犬の糞取り用品。
【発明の詳細な説明】
【技術分野】
【０００１】本発明は、犬の散歩中に犬が排泄した糞を、ワンタッチで袋に取り込み密閉し、そのまま持ち帰ることが出来る犬の糞取り用品に関するものである。
【背景技術】
【０００２】従来の犬の糞取り器は機能上からみて、だいたい次の５つに分類することができる。
（イ）円形の輪に柄を付けた器具に、ポリ袋を取り付け犬が糞をする体勢になった時に、ポリ袋の部位を犬の尻の下に近づけて糞を取り込む。
（ロ）紙で作ったスコップや箱形の容器で犬の糞を取り、ポリ袋に入れるか又は、そのまま持ち帰る。
（ハ）ステッキ状器具の先端に挟み板を設け、手元レバー
を引いて先端の挟み板で糞を掴み取り、袋に入れる。
（ニ）火挟み式又は切り挟み式の器具で、先端の挟み部にポリ袋を取り付けて犬の糞を掴み取り、袋の中に取り込む。
（ホ）ポリ袋を裏返し、その袋の中に手を入れて糞を掴み袋を元に戻して糞を袋の中に取り込む。
【発明の開示】
【発明が解決しようとする課題】
【０００３】従来の糞取り器は次のような問題点があった。
上記（イ）の糞取り器は、ポリ袋の着脱が煩わしく、取り込んだ糞をそのまま持ち歩くのは、臭いその他で抵抗がある。ポリ袋をその都度取り外すことも考えられるが、犬は、一回の散歩で普通２ないし３回は糞をするため、一回の散歩で２枚ないし３枚のポリ袋が必要となる。
上記（ロ）の糞取り器は、スコップの場合は、取った糞を入れるポリ袋が必要になり、柔らかい糞の場合は、スコップに糞が付き、散歩中歩く持ち歩くのは、違和感がある。また箱形の場合は、形状がやや複雑で製造コストが高くなり、使い捨てするには、経費がかさむ。
上記（ハ）の糞取り器は、一回の散歩で２枚ないし３枚のポリ袋が必要である。また柄が長いため持ち歩きが大変である。
上記（ニ）の糞取り器は、（イ）の糞取り器同様ポリ袋の着脱が煩わしく、また一回の散歩で２ないし３枚のポリ袋が必要である。その上柄が長いため持ち歩きが大変である。
上記（ホ）のポリ袋による糞取りは、糞を掴んだ感触に不快感、不潔感を抱く。
また一回の散歩で２ないし３枚のポリ袋が必要である。
本発明は、以上の問題点を解決しようとするものである。
【課題を解決するための手段】
【０００４】ポリエチレン等の袋の開口部にリングを装着し、リングをかえして犬の糞を掴み、糞を袋の中に取り込む。
その後ポリ袋の開口部を粘着テープで密閉することを特徴とする、犬の糞取り用品である。
【発明の効果】
【０００５】  本発明の犬の糞取り用品は、次の効果がある。
（イ）糞の取り込みは、ワンタッチで容易に行える。
（ロ）袋に付けたリングで糞を掴むため、糞を掴んだ感触が無く、違和感がない。
（ハ）構成が簡単なため製作費が安く、使い捨てができる
（ニ）糞を袋の中に取り込み後、消臭チップで消臭し、更に粘着テープで密閉出来るため悪臭がしない。
（ホ）糞の取り込みが複数回出来るので、一回の散歩に一袋で済み経済的である。
（ヘ）袋は折りたためる為保管スペースが少なく、使用前はポケットに入れて持ち歩きできる。
【発明を実施するための最良の形態】
【０００６】  以下、本発明の実施の形態を説明する。
（イ）ポリ袋（１）の開口部にリング（２）を装着する。
（ロ）ポリ袋（１）の一方の取っ手の下部にシール付の粘着テープ（３）を貼り付ける。
（ハ）ポリ袋（１）の両方の取っ手（４）に手提げ用穴（５）を孔ける。
本発明は、以上の構成よりなっている。
本発明の犬の糞取り用品は、保管時は［図２］示す様に平たく畳んでいる。
本発明品を使用する時は、（図３）に示ように取っ手（４）の手提げ用穴（５）に指を通し、左右に引いてリング（２）を開き、（図４）に示すようにリング（２）に手をかけ親指とその他の指でリング（２）をその中心に向かって押し、リング（２）をほぼ円形にする。この状態で（図５）に示すように、リング（２）を下方に向けて糞（６）に被せ、リング（２）を指で押し糞（６）を掴み、リング（２）を上向きにして糞（６）をポリ袋の底部に落とし込む。
２回目以降の糞取りは、（図６）に示す様にリング（２）を地面の糞（６）に被せても、前回取り込んだ糞（６）は重みで、リング（２）より下方または地面に接しているため、ポリ袋（１）からこぼれ落ちる事はない。
従って同一の袋で糞を複数回取ることが出来る為、一回の散歩で本発明品一袋で足りる。
ポリ袋（１）に糞（６）を取り込んだ後は、粘着テープ（３）のシールを剥がして、ポリ袋（１）を密閉する。
更に取り込んだ糞の臭いを消すため、（図７）に示す様に消臭剤を注入した消臭チップ（７）を付加し、消臭チップ（７）のシールを剥がして、消臭剤の臭気を放出して消臭する。
ポリ袋（１）の材質としては、他にビニールまたは防水処理した紙等がある。またリング（２）の材質は厚手の紙、または薄いプラスチック、ポリエチレン等がある。
袋を密閉する粘着テープ（３）の代わりにジッパーを用いることができる。
【図面の簡単な説明】
【０００７】
【図１】本発明の斜視図
【図２】本発明の保管時の斜視図
【図３】本発明のポリ袋を開く動作を示す斜視図
【図４】本発明の使用直前のポリ袋の状態を示す斜視図
【図５】本発明の１回目の糞を取る状態を示す斜視図
【図６】本発明の２回目以降の糞取り状態を示す斜視図
【図７】本発明に消臭チップを付加した斜視図
【符号の説明】
【０００８】    １  ポリ袋
２  リング
３  粘着テープ
４  取っ手
５  手提げ用穴
６  犬の糞
７  消臭チップ
【図１】
2007282614.tif 000003
【図２】
2007282614.tif 000004
【図３】
2007282614.tif 000005
【図４】
2007282614.tif 000006
【図５】
2007282614.tif 000007
【図６】
2007282614.tif 000008
【図７】
2007282614.tif 000009
(57)【要約】      （修正有）【課題】カワラタケ独特のキノコ臭さを脱臭し、手軽でおいしく飲用できるように改良した健康飲料を提供する。【解決手段】カワラタケを粉砕機にかけ粉末状にし、水で３時間３０分くらい煮出し、濾過したエキスを真空乾燥機で乾燥し、カワラタケの粉末を得る。【効果】カワラタケパウダーはインスタントコーヒーに似た粉末で、長期間保存が可能で、飲用の際に甘味料やレモンエキス等とも混ぜやすく手軽でおいしい飲料になる。また、ハチミツ、レモン汁、湯、等を混合するとカワラタケ独特のキノコ臭さが消え、ガン患者が飲用しやすい健康飲料が得られる。【選択図】なし【特許請求の範囲】
カワラタケの濃縮液を乾燥させてインスタントコーヒーのように粉末状にすると、湿度さえ注意すれば長期間保存することができます。また、飲用する際に、ハチミツ、レモン汁、湯、等を混合するとカワラタケ独特のキノコ臭さが消えます。手軽でおいしく飲用できるように改良した健康飲料である。
【発明の詳細な説明】
【発明の詳細な説明】
▲１▼  ガンを完全治癒させる薬や方法はいまだありませんがカワラタケジュースはガンを撲滅することができる可能性を秘めた、たいへんすばらしい飲料である。ガンを克服するためにはカワラタケだけではなく・動物性たんぱく質（動物の肉類、タマゴ、チーズ等の乳製品）を摂取しないこと・玄米食、野菜を主とした食品等、種々な方法を組み合わせてガン患者が真剣に努力しなければ成功しません。私もカワラタケジュースと他の方法とを組み合わせて、自分の命をかけて努力しました。おかげで今日まで生き長らえる事ができました。
▲２▼  現在ガンを克服するための漢方薬品としてアガリスクやメシマコブが普及してきましたが、最近これらの漢方薬がガンに対して、あまり効果が上がっていないとマスコミの報道がありました。私はこの報道を聞いて愕然と致しました。私はこれらの漢方薬がガンに対して非常に効果があると思っていましたので。私がガンを完全治癒させた方法をことさら世間に出さなくても良いと考えていました。しかし現在ガンに苦しんでいる人々のことを考えると少しでも早く私のガン克服法を普及させたいと決意いたしました。
【生産方法】
●カワラタケを粉砕機にかけて、できるだけ細かく粉末状にする。これはカワラタケの成分をできるだけ多く抽出するためである。
●カワラタケ１００ｇに対して水８Ｌを入れて３時間３０分位煎じると、カワラタケエキスは１Ｌ位抽出される。
●濾過機でこのエキスを濾過すると約０，８Ｌのカワラタケエキスを製造することができる。
●このエキスを真空乾燥機で乾燥させると約０，１６Ｌ位のカワラタケパウダーを生産することができる。
大勢のガン患者が、このインスタントカワラタケパウダーを気軽に美味しく飲用して早くガンを克服されることを願って出願を致しました。
(57)【要約】【課題】  解決しようとする課題は、牡蠣の殻をいかに容易に安全に開けるかということである。【解決手段】  牡蠣ナイフの握り柄側の末端に、殻の端を挟み梃子の原理で殻を割ることができるよう適宜深さの二股に形成して成る殻割部、または二股部を平棒と同一面状に平行する板状に形成する殻割部、または二股部の一方を平面から突出させコ字状の鉤型とする形状の殻割部を一体化することで、この殻割り器で牡蠣殻の薄い部分を割ることで、刃先を差し込む口を作り、一体となっているナイフ部分で貝柱を切り、容易に殻を開けるという一連の作業を可能とする。【選択図】図１
2007282618.tif 000002
【特許請求の範囲】
【請求項１】
一端に先突の平板状刃先を形成する平棒状牡蠣ナイフの他端握り側端部を適宜深さの二股に形成して成る殻割部を有する牡蠣ナイフ
【請求項２】
前記二股部を平棒と同一面状に、平行する板状に形成する請求項１記載の牡蠣ナイフ
【請求項３】
前記二股部の一方を平面から突出させコ字状の鉤型とする請求項１記載の牡蠣ナイフ
【発明の詳細な説明】
【技術分野】
【０００１】  本考案は、刃先を容易に牡蠣殻に入れ、牡蠣の身を簡単に取り出すことのできる殻割り機能を持つ牡蠣ナイフに関するものである。
【背景技術】
【０００２】  現在ある牡蠣ナイフは、固く閉じられた牡蠣の殻の隙間を探し、刃先をこじ入れることで、貝柱を切断し、牡蠣の身を取り出すものである。【０００３】しかし、牡蠣殻の隙間を見つけることは一般の人には非常に難しく、相当の力を入れて無理やり刃先をねじり込むことが多く、その際に指先、掌などを深く傷つけることもままある。
また、どうしても刃先を入れることができない場合には、生で食することを諦めて、加熱することで殻を開けることで身を食するしかなく、本来目的とする生牡蠣の風味を味わうことができない。【０００４】この改善策として、牡蠣の殻の端の部分を割ることにより、刃先を抵抗なく殻の中に差し込むという方法がある。
【発明の開示】
【発明が解決しようとする課題】
【０００５】解決しようとする課題は、牡蠣の殻をいかに容易に安全に開けるかということである。【０００６】また、使用者の利便性の面から牡蠣ナイフの大きさや重さを損なうことのないよう、従来の牡蠣ナイフに殻の端を簡単に割る機能をいかに付加させるかという点である。
【課題を解決するための手段】
【０００７】そこで、本発明は牡蠣ナイフの握り柄側の末端に、適宜深さの二股に形成、または二股部の一方を平面から突出させコ字状の鉤型とすることで、殻の端を挟み梃子の原理で殻を割ることができる形状の殻割り部を一体化し、この殻割り部で牡蠣殻の薄い部分を割ることで刃先を差し込む口を作り、一体となっているナイフ部分で貝柱を切り、容易に殻を開けるという一連の作業を可能とする。
【発明の効果】
【０００８】本発明により、一般の人にも牡蠣の殻を開けることが非常に容易になり、ナイフで手を傷つける事故もなくなる。また、今まで牡蠣の殻を開けることが出来ずに生牡蠣を食することをあきらめていた人たちも容易に食することができるようになる。ひいては、栄養豊富な牡蠣消費の拡大により国民の健康増進にもつながるものとなる。【０００９】従来の牡蠣ナイフの末端に小さな殻割り具を一体化させるだけなので、大きさも重さも従来の牡蠣ナイフと変わるところなく、台所での保管、携帯にも便利である。
【発明を実施するための最良の形態】
【００１０】牡蠣ナイフの柄側の末端に、殻の端を挟み梃子の原理で殻を割ることができるよう適宜深さの二股に形成して成る殻割部、または二股部を平棒と同一面状に平行する板状に形成する殻割部、または二股部の一方を平面から突出させコ字状の鉤型とする形状の殻割部を一体化する。
以下、図面に示す実施例に従って本発明の実施の対応を説明する。【００１１】図１は一端に先突の平板状刃先を形成する平棒状牡蠣ナイフの他端握り側端部を適宜深さの二股に形成して成る殻割部を有する牡蠣ナイフの斜視図である。【００１２】図２は他の実施例における前記二股部を平棒と同一面状に、平行する板状に形成する牡蠣ナイフの斜視図である。【００１３】図３は他の実施例における前記二股部の一方を平面から突出させコ字状の鉤型とする請求項１記載の牡蠣ナイフ牡蠣ナイフの斜視図である。【００１４】図４は使用状態を示す側面図であり、牡蠣の殻の薄い部分を、殻割り器付き牡蠣ナイフの殻割り器の隙間に挟む状態を示す。【００１５】図５は使用状態を示す側面図であり、牡蠣と殻割り器付き牡蠣ナイフの形成する直線方向と直角方向に力を働かせることで、殻の端に刃先を入れるだけの割れ目を生じさせる状態を示す。【００１６】図６は使用状態を示す側面図であり、牡蠣割り部で作った割れ目から牡蠣割り器付き牡蠣ナイフのナイフの刃先を入れ、貝柱を切る状態を示す。【００１７】図７は、牡蠣割り器付き牡蠣ナイフによって貝柱を切ることで、牡蠣殻を開けた状態を示す。
【図面の簡単な説明】
【００１８】
【図１】  殻割り器付き牡蠣ナイフの斜視図である。
【図２】  他の実施例における殻割り器付き牡蠣ナイフの斜視図である。
【図３】  他の実施例における殻割り器付き牡蠣ナイフの斜視図である。
【図４】  使用状態を示す側面図である。
【図５】  使用状態を示す側面図である。
【図６】  使用状態を示す側面図である。
【図７】  使用状態を示す側面図である。
【図８】  使用状態を示す側面図である。
【符号の説明】
【００１９】  １．殻割り器付き牡蠣ナイフのナイフ部分
２．殻割り器付き牡蠣ナイフの牡蠣割り器部分
３．他の実施例における殻割り器付き牡蠣ナイフのナイフ部分
４．他の実施例における殻割り器付き牡蠣ナイフの牡蠣割り器部分
５．他の実施例における殻割り器付き牡蠣ナイフのナイフ部分
６．他の実施例における殻割り器付き牡蠣ナイフの牡蠣割り器部分
【図１】
2007282618.tif 000003
【図２】
2007282618.tif 000004
【図３】
2007282618.tif 000005
【図４】
2007282618.tif 000006
【図５】
2007282618.tif 000007
【図６】
2007282618.tif 000008
【図７】
2007282618.tif 000009
【手続補正書】
【提出日】平成18年7月5日(2006.7.5)
【手続補正１】
【補正対象書類名】明細書
【補正対象項目名】００１８
【補正方法】変更
【補正の内容】
【００１８】
【図１】    殻割り器付き牡蠣ナイフの斜視図である。
【図２】    他の実施例における殻割り器付き牡蠣ナイフの斜視図である。
【図３】    他の実施例における殻割り器付き牡蠣ナイフの斜視図である。
【図４】    使用状態を示す側面図である。
【図５】    使用状態を示す側面図である。
【図６】    使用状態を示す側面図である。
【図７】    使用状態を示す側面図である。
(57)【要約】      （修正有）【課題】トウガラシを無味の状態で摂取し、胃の中で長時間をかけて胃の水分中に溶け出させる方法の提供。【解決手段】トウガラシ粉（２０目篩全通）と、コンニャク精粉（６０目篩全通）と、必要に応じて乾燥海藻粉（６０目篩全通、海藻の加工品も含む）を混合し、水を加えて練り合わせ、加熱して水分を蒸発させ、粉砕して粉末とする。トウガラシ粉とコンニャク精粉との重量比率を２対１〜０．０５対１とする。【効果】健康を増進するためにトウガラシを多量に摂取することを可能にする。【選択図】なし【特許請求の範囲】
【請求項１】
トウガラシ粉（２０目篩全通）と、コンニャク精粉（６０目篩全通）とを混合し、この混合物に水を加えて練り合わせた後、この混合物を加熱して、水分を蒸発し、粉砕して、トウガラシとコンニャクの混合物の粉末を作る方法に於いて、トウガラシ粉とコンニャク精粉との重量比率を、２対１〜０．０５対１とする。
【請求項２】
トウガラシ粉（２０目篩全通）と、コンニャク精粉（６０目篩全通）と、乾燥海藻粉（６０目篩全通、海藻の加工品も含む）を混合し、この混合物に水を加えて、練り合わせ、之を加熱して、水分を蒸発し、粉砕して、トウガラシと、コンニャクと、海藻（海藻の加工品を含む）の混合物の粉末を作る方法に於いて、トウガラシ粉と全重量の比率を、２対１〜０．０５対１とし、乾燥海藻粉（海藻の加工品も含む）と、コンニャク精粉との重量の比率を、１以下対１とする。
【発明の詳細な説明】
【技術分野】
【０００１】  この発明は、健康を増進する為に食用とするトウガラシの加工品を作る方法に関する。
【背景技術】
【０００２】  トウガラシは、胃薬、強壮剤として食べられていた。
【発明の開示】
【発明が解決しようとする課題】
【０００３】  トウガラシは、粉末として、食品に振りかけて、少量ずつ食べられていたが、一度に多量に食べて、胃の中で、徐々に水分中に溶け出して、感覚で、すぐに分かる方法を探していた。
【課題を解決する為の手段】
【０００４】  上記を解決する為、トウガラシ粉と、コンニャク精粉と、寒天粉の混合物に、水を加えて練り合わせ、之を加熱して水分を蒸発し、粉砕して直径２ｍｍ以下の粉末を得て食した。
【発明の効果】
【０００５】  １回に１ｇを水で食するのに、無味で違和感なく食べれた。
【０００６】  １回１ｇ、１日６回食したら、鼻通りが良くなった。
【０００７】  目の状態が、長期にわたって極度に悪く、目が乾き、半時間毎に目薬を入れても追いつかず、３０分も目をつぶっていると、固い目やにを取らねばならなかったのが、翌日には殆ど治り、５日で、長時間テレビを見ても、疲れなくなった。
【０００８】  頭脳がしっかりする。
【０００９】  必要以上に涙が出て、目が爽やかになる。
【００１０】  視力が向上する。
〔発明を実施する為の最良の条件〕
【００１１】  トウガラシ粉（３０目篩全通）１０ｇと、コンニャク精粉（６０目篩全通）２５ｇと、寒天粉（６０目篩全通）５ｇを混合し、之に水６０ｇを加えて練り合わせ、この混合物を加熱して水分を蒸発し、直径２ｍｍいかに粉砕して、４０ｇの粉末を得た。
(57)【要約】      （修正有）【課題】カテキン入りの新規なアイスクリームまんじゅうを提供する。【解決手段】京都福寿園の煎茶の粉を混ぜたアイスクリーム。あるいは京都福寿園の煎茶の粉を添加した饅頭の身で煎茶あんこを包んだアイスクリームをつくることにより１年中売れるようにしたアイスクリームまんじゅう。カテキンが含まれているため、おいしく、ガンや成人病の予防になる。【選択図】図２
2007282624.tif 000002
【特許請求の範囲】
【請求項１】
（カテキン）
ソフト（バニラ）クリームの中に京都福寿園の煎茶の粉をまぜたアイスクリーム
京都福寿園の煎茶の味のする身の中に煎茶あんこを入れたアイスクリーム・まんじゅう
京都福寿園の煎茶の味のする身の中にこしあんかつぶあんを入れたアイスクリーム・まんじゅう
京都福寿園の煎茶の味のする身の中にイチゴジャムを入れたアイスクリーム・まんじゅう
京都福寿園の煎茶の味のする身の中にオレンジジャムを入れたアイスクリーム・まんじゅう
京都福寿園の煎茶の味のする身の中に黄色のクリームを入れたアイスクリーム・まんじゅう
【発明の詳細な説明】
【技術分野】
【０００１】                                            （カテキン）
この発明はソフトクリームの中に京都福寿園の煎茶の粉をまぜたアイスクリーム
本体京都の福寿園の煎茶の味のする身の中に煎茶あんこを入れたアイスクリーム・まんじゅう
本体京都の福寿園の煎茶の味のする身の中にこしあんかつぶあんを入れたアイスクリーム・まんじゅう
本体京都の福寿園の煎茶の味のする身の中にイチゴジャムを入れたアイスクリーム・まんじゅう
本体京都の福寿園の煎茶の味のする身の中にオレンジジャムを入れたアイスクリーム・まんじゅう
本体京都の福寿園の煎茶の味のする身の中に黄色のクリームを入れたアイスクリーム・まんじゅう
【背景技術】
【０００２】  カップ入りアイスクリームとまんじゅう型を考えた。
【発明の開示】
【発明が解決しようとする課題】
【０００３】  雪見大福の応用であり、それをしのごうと考案したものである。
【課題を解決するための手段】
【０００４】                                （カテキン）
ソフトクリームの中に京都福寿園の煎茶の粉をまぜたカップアイスクリーム
2007282624.tif 000003
【発明の効果】  おいしくて、ガンや成人病の予防になる
【発明を実施するための最良の形態】
【０００６】  以下本発明の実施例について説明する
図１の２はカップアイスクリーム本体であり、１はフタである。
図２の１は京都福寿園の煎茶の味のする身であり、２は煎茶あんこである。
図３の１は京都福寿園の煎茶の味のする身であり、２はこしあんかつぶあんである。
図４の１は京都福寿園の煎茶の味のする身であり、２はイチゴジャムある。
図５の１は京都福寿園の煎茶の味のする身であり、２はオレンジジャムである。
図６の１は京都福寿園の煎茶の味のする身であり、２は黄色のクリームである。
【図面の簡単な説明】
【０００７】
【図１】本発明の斜視図である。
【図２】本発明の斜視図である。
【図３】本発明の斜視図である。
【図４】本発明の斜視図である。
【図５】本発明の斜視図である。
【図６】本発明の斜視図である。
【符号の説明】
【０００８】  図１の１  フタ          図２の１  京都福寿園の煎茶の味のする身
２  本体                ２  煎茶あんこ
図３の１  京都福寿園の煎茶の味のする身
２  こしあんかつぶあん
図４の１  京都福寿園の煎茶の味のする身
２  イチゴジャム
図５の１  京都福寿園の煎茶の味のする身
２  オレンジジャム
図６の１  京都福寿園の煎茶の味のする身
２  黄色のクリーム
【図１】
2007282624.tif 000004
【図２】
2007282624.tif 000005
【図３】
2007282624.tif 000006
【図４】
2007282624.tif 000007
【図５】
2007282624.tif 000008
【図６】
2007282624.tif 000009
(57)【要約】      （修正有）【課題】牛乳を冷却すると同時に、他方において洗浄用水を作湯し、貯湯する省エネルギー化を図る搾乳装置を提供する。【解決手段】牛乳の冷却は第二の水熱交換器５で冷却し、同時に第一の水熱交換器３では補給水を瞬時に５０〜６０℃まで昇温させ、貯湯タンク１３に貯湯する。貯湯タンクでは電気ヒーターにて深夜電力を利用して昇温し、７０℃にて貯湯する。７０℃で昇温・貯湯された温水は、搾乳装置の洗浄用温水として利用される。牛乳の冷却と搾乳装置洗浄用温水を同時に実施するヒートポンプ装置を構成する事により、高効率なエネルギーの消費を計る事ができる。洗浄装置に導入する空気は、空気加温装置１７にて温度上昇させて洗浄装置内に導入する。【選択図】図１
2007282622.tif 000002
【特許請求の範囲】
【請求項１】
圧縮機１、四方弁２、第一の水熱交換器３は冷媒配管にて連結する。
【請求項２】
第一の水熱交換器３は膨張弁４、第二の水熱交換器５と連結している。
【請求項３】
第二の水熱交換器５は四方弁２を経由して圧縮機１に冷媒配管を介して連結している。
【請求項４】
冷却用循環ポンプ９は第二の水熱交換器５と、牛乳用冷却フレート６に配管にて連結している。牛乳用冷却プレート６は、牛乳サブタンク７と牛乳メインタンク８に配管にて連結している。
【請求項５】
第一の水熱交換器３には補給水循環ポンプ１１と温調弁１０が接続してあり、更に貯湯タンク１３に連結している。貯湯タンク１３は電気ヒーター１２と温度サーモ２１が内蔵されている。更に貯湯タンク１３から給湯配管にて給湯用サブタンク１４に接続している。給湯用サブタンクは温水循環ポンプ１５が連結しており、温水洗浄装置１６と接続している。
【請求項６】
温水洗浄装置１６は空気加温装置１７とエアダクト２０が接続しており、更に熱源機１８と温水循環ポンプ１９が連結している。
【発明の詳細な説明】
【技術分野】
【０００１】  牛乳の搾乳過程において牛乳の冷却は不可欠である。同時に搾乳装置の洗浄は衛生上不可欠であり、除菌洗浄する為にも洗浄用温水は７０℃以上保持しなければならない。本装置は牛乳を冷却すると同時に他方において洗浄用温水を作湯し、貯湯する装置である。
温水温度はヒートポンプにおいて５０〜６０℃まで作湯し、貯湯タンクに内蔵されている電気ヒーターにて深夜電力を利用し、７０℃まで上昇させ貯湯する。搾乳装置の洗浄は温水循環と空気の混入で洗浄し、洗浄効果の向上を図る。この時空気は外気を導入するが冬期においては外気が０℃以下になる為、洗浄用温水の温度が極度に低下する。この為導入空気は洗浄用温水と混合するシステムになっている。
【背景技術】
【０００２】  従来牛乳の冷却は冷凍機で行っている。他方洗浄用温水は灯油ボイラー又は電気温水器で作湯している。更に搾乳装置の洗浄の為の空気混入は外気を直接混入している為に洗浄用温水温度が極度に下り、洗浄効果を著しく妨げているのが現状である。
【発明の開示】
【発明が解決しようとする課題】
【０００３】  牛乳の冷却と洗浄用温水を同時に実施出来るシステムの考案により、搾乳装置の省エネルギー化を図り、同時に搾乳装置のコストダウンを目標とする必要がある。更に搾乳装置の洗浄は、牛乳の品質向上に欠かすことが出来ず、空気の混入は搾乳装置内の洗浄効果を上げる為必要であり、現状においては外気を直接装置内に導入している為、洗浄効果を著しく妨げている。
この導入空気の温度を上昇させる事が、装置内の洗浄効果を向上させる為に必要な技術的課題である。
【課題を解決するための手段】
【０００４】  牛乳の冷却は第二の水熱交換器５で冷却し、同時に第一の水熱交換器３では補給水を瞬時に５０〜６０℃まで昇温させ、貯湯タンク１３に貯湯する。貯湯タンクでは電気ヒーターにて深夜電力を利用して昇温し、７０℃にて貯湯する。
７０℃昇温・貯湯された温水は、搾乳装置の洗浄用温水として利用される。以上の様に牛乳の冷却と搾乳装置洗浄用温水を同時に実施するヒートポンプ装置を構成する事により、高効率なエネルギーの消費を計る事が出来る。他方洗浄装置に導入する空気は、空気加温装置１７にて温度上昇させて洗浄装置内に導入する。
【発明の効果】
【０００５】  牛舎における搾乳装置の稼動効率化と衛生管理は牛乳の品質向上とコストダウンの為には必要不可欠の事である。本発明によるヒートポンプ冷却・加熱同時型は、この両方の要請に対応出来るシステムである。
又、空気加温装置は搾乳装置の洗浄効果を向上させ、牛乳の品質向上に極めて寄与するものである。
【実施例】
【０００６】  本発明には次のような実施例がある。
【実施例１】
【０００７】  圧縮機１、四方弁２、第一の水熱交換器３、膨張弁４、第二の水熱交換器５、温調弁１０の構成からなる本システムによる実施例。
【実施例２】
【０００８】  貯湯タンク１３と給湯用サブタンク１４は、温水循環ポンプ１５を介して温水洗浄装置１６及び空気加温装置１７、更には熱源機１８、温水循環ポンプ１９からなる本システムによる実施例。
【図面の簡単な説明】
【０００９】
【図１】本発明の概要図  冷却運転  圧縮機１で高温・高圧になった冷媒ガスは、第一の水熱交換器３にて凝縮液化し、膨張弁４にて減圧され、低温・低圧の冷媒液となる。更に冷媒液は第二の水熱交換器５に導入され牛乳と熱交換し、牛乳から熱を回収してガス化する。この結果牛乳は冷却され、牛乳メインタンク８に保存される。冷媒ガスは四方弁２を経由して圧縮機１に循環し、以下このサイクルで循環する。作湯運転  圧縮機１で高温・高圧になった冷媒ガスは、第一の水熱交換器３に循環する。第一の水熱交換器３には、補給水ポンプ１１により作湯用補給水が供給される。補給水は温調弁１０にて流量調整されて第一の水熱交換器３に循環し、冷媒ガスは冷却液化し、更に膨張弁４にて減圧され、低温・低圧の冷媒液となり、第二の水熱交換器５に入り、ガス化され四方弁２を経由して圧縮機１に入る。以下このサイクルで循環する。空気加温運転  導入外気は空気加温装置１７を通過し、装置内熱交換素子にて昇温され、空気ダクト２０を経由して洗浄装置１６に混合される。空気加温装置内の熱交換素子は、別途熱源機１８にて作られる温水にて機能している。
【符号の説明】
【００１０】          １．  圧縮機                        １９．  温水循環ポンプ
２．  四方弁                        ２０．  空気ダクト
３．  第一の水熱交換器              ２１．  温水サーモ
４．  膨張弁
５．  第二の熱交換器陽
６．  牛乳用冷却プレート
７．  牛乳用サブタンク
８．  牛乳用メインタンク
９．  循環ポンプ
１０．  温調弁
１１．  補給ポンプ
１２．  電気ヒーター
１３．  貯湯タンク
１４．  給湯用サブタンク
１５．  温水循環ポンプ
１６．  温水洗浄装置
１７．  空気加温装置
１８．  熱源機
【図１】
2007282622.tif 000003
(57)【要約】      （修正有）【課題】真空管によるプッシュプル増幅回路で、従来型の位相反転回路の代わりに平衡回路により得られる信号を用いて高度な音質が得られるオーディオアンプ回路を提供する。【解決手段】従来のプッシュプル増幅回路の欠点を排除するために、位相反転回路を用いることなくプッシュプル増幅を可能とする回路方式である。そのため、高級オーディオ機器や業務用機器などより得られるバランス（平衡）出力のホット、コールドの両方の信号をそのまま用いてドライバー段で増幅しプッシュプル出力段を駆動しオーディオアンプを構成するものである。バランス入力専用とすることで、位相反転回路を使わずに高精度のプッシュプル増幅を実現し高品質のステレオ音楽再生を実現した。【選択図】図１
2007282169.tif 000002
【特許請求の範囲】
【請求項１】
位相反転回路を有しない真空管ステレオアンプで、プリアンプもしくはＣＤ機のバランス出力（平衡出力）のホット、コールドの両方の信号を増幅してプッシュプル出力段を駆動し出力を取り出すバランス入力専用真空管ステレオアンプ。
【請求項２】
高級オーディオ機器により得られるバランス出力（平衡出力）のホット、コールドの両方の信号を利用するため、左右の各チャンネルに二個の同一の増幅回路をドライバー段として用いてプッシュプル増幅を行う。そのため入力端子にはＸＬＲコネクターを用い、音量調整には二連ＶＲ（可変抵抗器）を有するバランス入力専用の真空管ステレオアンプ。
【発明の詳細な説明】
【技術分野】
【０００１】本発明は真空管によるプッシュプル増幅回路で、従来型の位相反転回路の代わりに平衡回路により得られる信号を用いて高度な音質が得られるオーディオアンプ回路に関するものである。
【背景技術】
【０００２】真空管式オーディオアンプは二種類の出力回路方式がある。シングル増幅方式とプッシュプル増幅方式である。高出力を求める場合は主にプッシュプル増幅方式が用いられてきたが、この回路方式を行うためには位相反転回路が用いられてきた。
【発明の開示】
【発明が解決しようとする課題】
【０００３】従来の真空管ステレオアンプでは真空管特有の艶やかな音質が得られるものの、ステレオ録音の音場の広がりや楽器の定位感といった面では十分な再現が出来ないことが難点であった。
本発明は、以上の問題点を解決し高品質のステレオ録音の再生が得られる真空管アンプを実現している。
【課題を解決するための手段】
【０００４】イ）平衡回路を出力に持つ機材からは高精度の正相、逆相の二つの信号が出力されている    。この平衡出力の両方の信号（ホット、コールド）を入力信号として用いる。
ロ）平衡回路により得られる正相、逆相の二つの信号を直接利用し、位相反転回路を用い    ることなく高品質、高精度のプッシュプル出力段駆動のためのドライバー信号を得る    こと。
ハ）ホット、コールドに独立した同一の増幅回路に接続しプッシュプル出力段を駆動する    ドライバー回路を構成する。
以上の回路方式によって真空管プッシュプルアンプの弱点でもある位相反転回路を取り除くことが可能となり、さらにアンプ内の回路は出力トランスの一次側までの全ての部分において平衡回路を構成することができる。
【発明の効果】
【０００５】本発明により高級ＣＤプレイヤーなどから得られる平衡出力を活かし真空管の音質の特長を失うことなく高品質のステレオ音楽再生が可能となり、ステレオ再生時の音場の広がりと楽器の明確な定位感を実現した。
【本発明を実施するための最良の形態】
【０００６】以下、本発明の形態を説明する。
イ）平衡入力信号を得るためにＸＬＲ端子を設ける。一番ピンをアース、二番ピンを正相    入力、三番ピンを逆相入力に接続する。
ロ）音量調節機能のために二連ボリュームを用いて平衡回路の正相、逆相の両信号を同時    に調整できる回路を設ける。
ハ）二組の同様な増幅回路を用いてプッシュプル出力段を駆動するためのドライバー段と    する。この回路により正相、逆相の両信号を同品質、同音量で増幅し出力段に供給す    る。
ニ）プッシュプル出力回路を使用して出力を取り出す。このとき、トランスを用いて出力    インピーダンスを調整しスピーカーへの接続を可能とする。
ホ）同様の構成のアンプを二組用意しそれぞれ右チャンネル用と左チャンネル用に使用す    る。
本発明は以上の構成によりなる。
本発明を使用する場合はバランス出力を持つオーディオ機器と本発明の入力端子とをＸＬＲコネクターを装備したオーディオ用ケーブルで接続する。そして出力端子からスピーカーに接続する。左右両チャンネルとも同様の接続形態としてステレオ音楽再生を行う。
【図面の簡単な説明】
【０００７】
【図１】  本発明の回路図
【符号の説明】
【０００８】（１）  ＸＬＲ入力端子
（２）  二連可変抵抗器
（３）  ドライバー段
【図１】
2007282169.tif 000003
(57)【要約】【課題】  監視カメラによる広域な監視網を利用して、特定の人物の状況をリアルタイムに監視する。【解決手段】  ＴＶカメラつきの携帯電話を街頭に広域に設置し、今ドコの位置情報により、電話番号を検索して電話をかけて起動し、動画情報を取得する。  動画をそのままＴＶ電話に転送する方法と、ＷＷＷサーバー上に保管してｉモードにて動画を配信する方法の２種類の方式を提供する。【選択図】図２
2007282172.tif 000002
【特許請求の範囲】
【請求項１】
あらかじめ、ＴＶ電話付の携帯電話を、街頭にある電柱またはビル、学校、公園に設置し、位置情報に対応した、最も近い場所の携帯電話の番号をデーターベースに登録しておく。ＴＶ電話付の携帯電話からの問い合わせの位置情報により、対応した場所にあるＴＶ電話付の携帯電話をデーターベースから検索して、電話をかけて起動し、ＴＶ電話の画像を取得して、問い合わせを行ったＴＶ電話付の携帯電話に提供する。
【請求項２】
あらかじめ、ＴＶ電話付の携帯電話を、街頭にある電柱はたはビル、学校、公園に設置し、位置情報に対応した、最も近い場所の携帯電話の番号をデーターベースに登録しておく。携帯電話からの問い合わせの位置情報により、対応した場所にあるＴＶ電話付の携帯電話をデーターベースから検索して、電話をかけて起動し、ＴＶ電話の画像を取得して、ｉモードまたはインターネット上のサーバーにアップする。問い合わせを行った携帯電話からｉモードまたはインターネット上のサーバーにアクセスして画像情報を取得する。
【発明の詳細な説明】
【技術分野】
【０００１】  本発明は、ＴＶ電話付携帯電話とネットワークシステムに関するものであり、主に任意の場所にいる人物の状況を、リアルタイムに表示するための広域な監視システムに関する。
【背景技術】
【０００２】  携帯電話を利用したさ位置検索サービスの「今どこ」を提供する通信会社があり、位置情報を検索し地図上に表示している。
【発明の開示】
【発明が解決しようとする課題】
【０００３】  携帯電話を利用した位置検索サービスの「今どこ」を提供する通信会社があり、位置情報を検索し地図上に表示しているが、地図上の位置情報だけでは、詳しい状況がわからない。【０００４】  また、家内よりも、公園や道路上の危険の方が大きいため、犯罪を抑止するため、防犯カメラを設置し、磁気記憶媒体に録画している。しかし、記録として残すだけでなく、リアルタイムに監視するためには、監視を行う人間が、常時画面を見ていなければならないため、手間とコストがかかり、現実的でない。
【課題を解決するための手段】
【０００５】  上記問題を解決するために、本発明では、位置検索サービスの「今どこ」の位置情報を転送してもらい、その位置情報によりデーターベースを参照して、街頭に設置してある、最も近い場所の携帯電話に電話をかけて起動し、テレビ電話の画像を取得し、問い合わせを行った携帯電話に転送して表示する。このため、情報を必要としている人が要求したときのみ、監視カメラとして機能することになり、ローコストで広域の監視システムを提供できる。
【発明の効果】
【０００６】  以上説明したように、本発明の処理により、広域の監視カメラ網を構築でき、携帯電話の位置情報サービスと連動させ、リアルタイムに、街頭に設置された固定のＴＶ電話機能付携帯電話の映像情報を提供できる。
【発明を実施するための最良の形態】
【実施例１】
【０００７】  図１は、本発明のネットワーク構成を示した図である。【０００８】  街頭に設置された固定のＴＶ電話機能付携帯電話１０３、電話番号検索サーバー１０４、位置検索機能付携帯電話１０２、ＴＶ電話機能付携帯電話１０１が、携帯電話網１０５によって接続され、携帯電話網１０５の一部を形成している。【０００９】  ＴＶ電話機能付携帯電話１０１から、位置検索機能付携帯電話１０２の位置情報を要求し、取得する。【００１０】  電話番号検索サーバー１０４は、ＨＴＴＰにより携帯電話網１０５に接続されている。位置情報から、街頭に設置された固定のＴＶ電話機能付携帯電話１０３の電話番号を検索し、電話をかけて起動する。【００１２】  図２は電話番号情報の検索、および街頭に設置された固定のＴＶ電話機能付携帯電話１０３の起動、およびＴＶ電話の画像を取得する仕組みを示した図である。【００１３】  電話番号検索サーバー１０４は、ＷＷＷサーバー１０６、とＣＧＩにより接続された、データーベース１０７からなり、ＴＶ電話機能付携帯電話１０１からの要求により、ＷＷＷサーバーを経由して、入力された位置情報を検索し、結果の電話番号から街頭に設置された固定のＴＶ電話機能付携帯電話１０３に電話をかけて起動して、ＴＶ電話の画像をＷＷＷサーバー１０６に送出する。【００１４】ＷＷＷサーバー１０６上に画像を保存しｉモードで動画表示する方法（請求項２）と、そのままＴＶ電話へ転送する方法（請求項１）により画像を表示する。【００１５】画像情報閲覧後、ＴＶ電話機能付携帯電話１０１からの通話が終了することで処理が終了したことを認識し、街頭に設置された固定のＴＶ電話機能付携帯電話１０３の通話を終了する。
【図面の簡単な説明】
【００１６】
【図１】本発明のネットワーク構成図
【図２】携帯電話の位置情報から固定のＴＶ電話機能付携帯電話の映像を取得する仕組み
【図１】
2007282172.tif 000003
【図２】
2007282172.tif 000004
(57)【要約】【課題】テレビ本体等のアンテナ線や映像音響ケーブルなどを接続する場合、本体を移動させなければならず困難だった。さらにテレビなどの大型化が進み、なお困難となった。【解決手段】テレビ等の背面にある接続端子部分を回転可動式とし前面よりケーブル類の接続を容易とする。【選択図】図２
2007282173.tif 000002
【特許請求の範囲】
【請求項１】
テレビジョン等の背面外部接続端子を回転可動式とし、前面より接続可能とするもの。
【発明の詳細な説明】
【技術分野】
【０００１】この発明はテレビ等、背面等にある外部接続端子に前面よりアクセスする方法に関する。
【背景技術】
【０００２】従来のテレビ本体等の背面にある外部接続端子は図１の示すように背面等からのみ接続するものである。
【発明の開示】
【発明が解決しようとする課題】
【０００３】しかしながら、前記の技術によれば、テレビ等の背面へのケーブル等の接続が容易ではない。
そこで発明は、テレビ等の背面にある接続端子にケーブル等の接続を容易とすることを課題とした。
【課題を解決するための手段】
【０００４】以上の課題を解決するために、発明はテレビ等の背面にある接続端子部分を前面方向へ向きを回転させることを特徴とする。
【発明の効果】
【０００５】この発明によればテレビ等と壁の隙間があまりなくとも、テレビ等の背面の外部端子接続部分を回転させ前面に向けることによって、ケーブル等の接続が容易となる。
【発明を実施するための最良の形態】
【０００６】この発明の一実施形態を、図２に示す。
現在テレビ等の外部接続端子は図１のように背面等に固定されているが、この外部接続端子を回転させ前方に向けることができるようにする。
又、ケーブル接続後および使用しない場合は元の位置に戻す。回転式接続端子部とテレビ等本体（基板）間はフラットケーブル又は同軸ケーブル等を使用する。【０００７】「実施形態の効果」
この実施形態によりアンテナ線や映像音響機器等ケーブル等の接続が困難な大型テレビ等のケーブル接続が容易になる【０００８】「他の実施形態」
図２では回転可動接続端子部をテレビ等本体の背面の右側に設置したものを示したが、左側・上部などに設置したものでも良い。
【図面の簡単な説明】
【０００９】
【図１】従来技術を示す図である。又、外部接続端子部回転前、収納時の図である。
【図２】この発明の一実施形態を示す図である。
【符号の説明】
【０００１０】  １  背面接続端子前面アクセス装置    ２  フラットケーブル等
【図１】
2007282173.tif 000003
【図２】
2007282173.tif 000004
(57)【要約】【課題】糖分無添加ないしは少量の加糖だけで、自然な甘味を備えた小豆餡、白餡、うぐいす餡等の豆類を原料とする餡の製造方法を提供すること。【解決手段】小豆、インゲン又はグリンピースから成る原料豆類を煮熟する工程と、煮熟した原料豆類を摩砕する工程と、摩砕した原料豆類に１５０〜２００重量パーセントの米麹を加えて仕込み水分５０〜６０パーセントに仕込む仕込み工程と、仕込んだ原料豆類を５０〜６０℃で３〜７日糖化発酵する工程と、糖化発酵した原料豆類を７５〜９０℃で５〜４０分間酵素失活及び殺菌する工程から成る餡製造方法。【選択図】図１
2007282529.tif 000002
【特許請求の範囲】
【請求項１】
小豆、インゲン又はグリンピースから成る原料豆類を煮熟する工程と、煮熟した原料豆類を摩砕する工程と、摩砕した原料豆類に１５０〜２００重量パーセントの米麹を加えて仕込み水分５０〜６０パーセントに仕込む仕込み工程と、仕込んだ原料豆類を５０〜６０℃で３〜７日糖化発酵する工程と、糖化発酵した原料豆類を７５〜９０℃で５〜４０分間酵素失活及び殺菌する工程から成ることを特徴とする餡製造方法。
【発明の詳細な説明】
【技術分野】
【０００１】
本発明は餡製造方法に関し、より詳しくは小豆、インゲン、グリンピース等の豆類を原料とする餡の製造方法に関する。
【背景技術】
【０００２】
一般に、小豆を原料とする小豆餡や白インゲンを原料とする白餡あるいグリンピースを原料とするうぐいす餡はこれらの原料豆類を粒のまま、又は漉して原料豆類と等量以上の砂糖等の糖分を加え、これを煮詰めて製造される。
【特許文献１】引用なし
【発明の開示】
【発明が解決しようとする課題】
【０００３】
ところで、昨今の消費者は健康志向が強く、糖分控えめの食品を好むため、多量の糖分を加えて製造される小豆餡、白餡、うぐいす餡等の消費量が低減傾向にある。
本発明はかかる問題点に鑑み、糖分無添加ないしは少量の加糖だけで、自然な甘味を備えた小豆餡、白餡、うぐいす餡等の豆類を原料とする餡の製造方法を提供することを目的とする。
【課題を解決するための手段】
【０００４】
本発明に係る餡製造方法は、小豆、インゲン又はグリンピースから成る原料豆類を煮熟する工程と、煮熟した原料豆類を摩砕する工程と、摩砕した原料豆類に１５０〜２００重量パーセントの米麹を加えて仕込み水分５０〜６０パーセントに仕込む仕込み工程と、仕込んだ原料豆類を５０〜６０℃で３〜７日糖化発酵する工程と、糖化発酵した原料豆類を７５〜９０℃で５〜４０分間酵素失活及び殺菌する工程から成ることを特徴とする。
【発明の効果】
【０００５】
本発明によれば、小豆、インゲン又はグリンピースから米麹による糖化発酵によって糖分無添加ないしは少量の加糖だけで自然な甘味を有し、カロリーも控えめで麹風味を備えたソフト餡を製造することができる。
【発明を実施するための最良の形態】
【０００６】
図１に、本発明の実施例に係る小豆餡製造方法の工程を示す。当該餡製造方法は煮熟工程、摩砕工程、仕込み工程、糖化発酵工程及び酵素失活及び殺菌工程からなる。
【０００７】
煮熟工程では、選別小豆１００ｋｇをよく洗浄し、釜に１５０ｋｇの水と共に投入し、約２時間アクを取り除きながら煮熟する。煮熟時間は原料小豆が「指で潰れる程度」を目安にすると良い。
【０００８】
摩砕工程では、煮熟した原料小豆をすぐにミンチですり潰す。続いて、仕込み工程において、摩砕した原料小豆に０．３〜０．５重量パーセントの塩と米麹１５０ｋｇを加えて混合発酵タンクに投入し、原料表面が酸化されないように表面にアルコールを散布して覆う。この仕込み工程では仕込み水分が５０〜６０パーセント、好ましくは仕込み水分が約５５パーセントになるように仕込む。仕込み水分が５０パーセント以下では原料小豆が硬すぎて分解も遅れる。仕込み水分が６０パーセント以上になると原料小豆がおかゆ状になり固形度が低くて餡の形にならない。
【０００９】
また、仕込み工程での米麹添加量は１５０〜２００重量パーセント、好ましくは１５０重量パーセントとする。米麹の添加量が１５０重量パーセント以下では糖化に時間がかかり、甘味も少ない。一方、米麹の添加量が２００重量パーセント以上の場合、原料小豆が甘酒のようになり、餡の状態を成さないだけでなく小豆の風味が失われてしまう。また、仕込み工程では０．３〜０．５重量パーセントの割合で塩を添加すると風味がより一層向上する。
【００１０】
次ぎに、仕込んだ原料小豆を５０〜６０℃で３〜７日糖化発酵する。好ましくは糖化開始温度５５℃にて５日間糖化発酵させる。糖化発酵温度が５０℃以下ではバクテリア、乳酸菌が繁殖して腐敗、酸敗し易い。一方、６０℃以上になると酵素失活して原料小豆が分解されない。また、糖化発酵期間が３日以下では、風味が安定しない。一方、７日以上熟成させると褐変反応により色がついてしまう。
【００１１】
糖化発酵工程で熟成した原料小豆は直ちに、７５〜９０℃で５〜４０分間、好ましくは８５℃で２０分間、酵素失活及び殺菌する。酵素失活及び殺菌は７５℃ならば３０〜４０分、９０℃の場合は５〜１０分程度の時間をかける。
【００１２】
こうして製造された小豆餡は、糖度が低い場合、加糖して糖度を５０パーセント程度に高める。
【００１３】
以上、本実施例に係る小豆餡の製造方法によれば、小豆を原料として糖分無添加ないし少量の加糖で自然な甘味、うまみを有し、カロリーも控えめで適度な酸味と麹風味を備えた自然発酵食品を製造することができる。
なお、本実施例では小豆餡の製造方法について説明したが、本発明は小豆の他、インゲンやグリンピースを使用して白餡やうぐすい餡を製造する場合にも適用できる。
【図面の簡単な説明】
【００１４】
【図１】本発明の実施例に係る小豆餡の製造方法の工程図である。
【図１】
2007282529.tif 000003